(57)【要約】【課題】１つの操作部材の押下のみで、より多くの情報を選択できる技術を提供する。【解決手段】本発明の電子機器は、特定の操作部材に対する第１の時間未満の操作に応じて選択の変更が可能な選択候補群である割当候補群に第１の選択候補群が割り当てられた第１の状態において、特定の操作部材が操作開始され、第１の時間未満で操作終了すると、第１の選択候補群に含まれた複数の候補のいずれかに、選択された候補を変更し、特定の操作部材が操作開始され、特定の操作部材に対する操作が第１の時間以上継続すると、割当候補群に第２の選択候補群が割り当てられた第２の状態に状態を変更し、第２の状態において、特定の操作部材が操作開始され、第１の時間未満で操作終了すると、第２の選択候補群に含まれた複数の候補のいずれかに、選択された候補を変更するように制御する制御手段を有することを特徴とする。【選択図】図３
2019164423.tif 000002
【特許請求の範囲】
【請求項１】
特定の操作部材に対する第１の時間未満の操作に応じて選択の変更が可能な選択候補群である割当候補群に第１の選択候補群が割り当てられた第１の状態において、
前記特定の操作部材が操作開始され、前記第１の時間未満で操作終了すると、前記第１の選択候補群に含まれた複数の候補のいずれかに、選択された候補を変更し、
前記特定の操作部材が操作開始され、前記特定の操作部材に対する操作が前記第１の時間以上継続すると、前記割当候補群に第２の選択候補群が割り当てられた第２の状態に状態を変更し、
前記第２の状態において、前記特定の操作部材が操作開始され、前記第１の時間未満で操作終了すると、前記第２の選択候補群に含まれた複数の候補のいずれかに、選択された候補を変更する
ように制御する制御手段
を有することを特徴とする電子機器。
【請求項２】
前記複数の候補は複数の設定候補であり、
前記選択された候補は設定される設定候補である
ことを特徴とする請求項１に記載の電子機器。
【請求項３】
前記第１の選択候補群は第１の設定項目に関する設定候補群であり、
前記第２の選択候補群は第２の設定項目に関する設定候補群である
ことを特徴とする請求項２に記載の電子機器。
【請求項４】
第１の動作モードにおいて、前記特定の操作部材が操作開始され、前記第１の時間未満で操作終了すると、前記制御手段は、選択された候補を前記選択候補群に含まれる複数の候補のいずれかに変更するように制御し、
第２の動作モードにおいて、前記特定の操作部材が操作開始され、前記第１の時間未満で操作終了しても、前記制御手段は、選択された候補を変更するように制御しない
ことを特徴とする請求項１〜３のいずれか１項に記載の電子機器。
【請求項５】
前記第２の動作モードにおいて、前記特定の操作部材に対する操作が第２の時間以上継続すると、前記制御手段は、前記第１の動作モードに遷移するように制御する
ことを特徴とする請求項４に記載の電子機器。
【請求項６】
前記第２の時間は前記第１の時間と等しい
ことを特徴とする請求項５に記載の電子機器。
【請求項７】
前記第１の動作モードにおいて、前記電子機器に対する操作が行われない状態が第３の時間継続すると、前記制御手段は、前記第２の動作モードに遷移するように制御する
ことを特徴とする請求項４〜６のいずれか１項に記載の電子機器。
【請求項８】
前記第１の時間は前記第３の時間よりも短い
ことを特徴とする請求項７に記載の電子機器。
【請求項９】
前記第１の時間は０．５秒以上２秒以下であり、
前記第３の時間は２秒より長い
ことを特徴とする請求項７または８に記載の電子機器。
【請求項１０】
前記第１の動作モードに遷移すると、前記制御手段は、前回の前記第１の動作モードの際に割り当てられていた選択候補群を前記割当候補群に割り当てるように制御する
ことを特徴とする請求項４〜９のいずれか１項に記載の電子機器。
【請求項１１】
前記第１の動作モードに遷移すると、前記制御手段は、前回の前記特定の動作モードの際に割り当てられていた選択候補群にかかわらず、前記第１の選択候補群を前記割当候補群に割り当てるように制御する
ことを特徴とする請求項４〜９のいずれか１項に記載の電子機器。
【請求項１２】
前記制御手段は、
前記特定の操作部材が操作開始され、前記第１の時間以上かつ第４の時間未満で操作終了すると、所定の切り替え順に従って前記割当候補群に割り当てる選択候補群を切り替えるように制御し、
前記特定の操作部材に対する操作が前記第４の時間以上継続すると、前記所定の切り替え順にかかわらず、前記第１の選択候補群を前記割当候補群に割り当てるように制御する
ことを特徴とする請求項１〜１１のいずれか１項に記載の電子機器。
【請求項１３】
前記特定の操作部材が操作開始され、前記特定の操作部材に対する操作が前記第１の時間以上継続すると、前記制御手段は、所定の切り替え順に従って、前記割当候補群に割り当てる選択候補群を切り替えるように制御し、
前記第１の選択候補群は、前記所定の切り替え順における１番目の選択候補群である
ことを特徴とする請求項１１または１２に記載の電子機器。
【請求項１４】
前記制御手段は、さらに、前記割当候補群に割り当てられる選択候補群を示す表示を行うように制御する
ことを特徴とする請求項１〜１３のいずれか１項に記載の電子機器。
【請求項１５】
前記割当候補群に割り当てることが可能な選択候補群の数は、１つの選択候補群に含ませることが可能な候補の最大数よりも少ない
ことを特徴とする請求項１〜１４のいずれか１項に記載の電子機器。
【請求項１６】
前記割当候補群として割り当てることが可能な選択候補群のそれぞれに含まれる候補の数は、いずれの選択候補群においても１０個以下である
ことを特徴とする請求項１〜１５のいずれか１項に記載の電子機器。
【請求項１７】
前記割当候補群として割り当てることが可能な選択候補群の数は、５個以下である
ことを特徴とする請求項１〜１６のいずれか１項に記載の電子機器。
【請求項１８】
前記割当候補群に割り当て可能な選択候補群と、前記特定の操作部材に対する前記第１の時間以上の操作に応じた前記割当候補群への割当の切り替え順との少なくとも一方をユーザーが登録可能である
ことを特徴とする請求項１〜１７のいずれか１項に記載の電子機器。
【請求項１９】
前記制御手段は、さらに、
選択された候補の変更を短音の出力で通知し、
前記割当候補群に割り当てられた選択候補群が変更されると、変更後の選択候補群を、出力される長音の回数で通知するように制御する
ことを特徴とする請求項１〜１８のいずれか１項に記載の電子機器。
【請求項２０】
前記制御手段は、さらに、
選択された候補の変更を発光部の第１の色の点滅で通知し、
前記割当候補群に割り当てられた選択候補群が変更されると、変更後の選択候補群を、前記発光部の第２の色の点滅の回数で通知するように制御する
ことを特徴とする請求項１〜１９のいずれか１項に記載の電子機器。
【請求項２１】
前記制御手段は、さらに、
選択された候補の変更を、前記電子機器の、弱振動と短振動の少なくとも一方である第１の振動で通知し、
前記割当候補群に割り当てられた選択候補群が変更されると、変更後の選択候補群を、前記電子機器の、強振動と長振動の少なくとも一方である第２の振動の回数で通知するように制御する
ことを特徴とする請求項１〜２０のいずれか１項に記載の電子機器。
【請求項２２】
特定の操作部材に対する第１の時間未満の操作に応じて選択の変更が可能な選択候補群である割当候補群に第１の選択候補群が割り当てられた第１の状態において、前記特定の操作部材が操作開始され、前記第１の時間未満で操作終了すると、前記第１の選択候補群に含まれた複数の候補のいずれかに、選択された候補を変更するように制御するステップと、
前記第１の状態において、前記特定の操作部材が操作開始され、前記特定の操作部材に対する操作が前記第１の時間以上継続すると、前記割当候補群に第２の選択候補群が割り当てられた第２の状態に状態を変更するように制御するステップと、
前記第２の状態において、前記特定の操作部材が操作開始され、前記第１の時間未満で操作終了すると、前記第２の選択候補群に含まれた複数の候補のいずれかに、選択された候補を変更するように制御するステップと、
を有することを特徴とする電子機器の制御方法。
【請求項２３】
コンピュータを、請求項１〜２１のいずれか１項に記載の電子機器の各手段として機能させるためのプログラム。
【請求項２４】
コンピュータを、請求項１〜２１のいずれか１項に記載の電子機器の各手段として機能させるためのプログラムを格納したコンピュータが読み取り可能な記録媒体。
【発明の詳細な説明】
【技術分野】
【０００１】
本発明は、電子機器、電子機器の制御方法、プログラム、及び、記録媒体に関する。
【背景技術】
【０００２】
電子機器に設けられるボタン（操作部材）の数には制限があり、電子機器の小型化によりボタンが減る可能性が高い。そのため、少ないボタンに対するシンプルな操作で多くの選択候補（情報；指示）を入力（選択）できることが好ましい。電子機器の操作に関する従来技術は、例えば、特許文献１，２に開示されている。
【０００３】
特許文献１には、日本語文字入力に関する技術が開示されている。特許文献１に開示の技術では、キーの短押しに応じて、文字群に含まれる複数の文字の間で入力文字が切り替えられ、当該キーの長押しに応じて、当該文字群に含まれる促音文字に入力文字が切り替えられる。
【０００４】
特許文献２には、年月日時入力に関する技術が開示されている。特許文献２に開示の技術では、押下可能なローラー部材の長押しに応じて年入力の受け付けが開始され、ローラー部材を回すことにより入力年が変更され、ローラー部材の短押しに応じて、入力年が確定され、月入力の受け付けが開始される。
【先行技術文献】
【特許文献】
【０００５】
【特許文献１】特開２００４−３１０５１９号公報
【特許文献２】特開２００４−１７７４０９号公報
【発明の概要】
【発明が解決しようとする課題】
【０００６】
しかしながら、特許文献１に開示の技術では、他の文字群に含まれた文字を入力するために、他のキーを押下する必要がある。従って、複数の文字群の複数の文字を入力するためには、複数のキーを押下する必要がある。
【０００７】
特許文献２に開示の技術では、ローラー部材に対する操作のみで年月日時を入力できる。しかしながら、年月日時を入力（選択）するためには、ローラー部材を回したり押したりする必要がある。さらに、回せるローラー部材の設置位置は、押下のみ可能な操作部材の設置位置よりも制限される。
【０００８】
また、ＧＵＩ（グラフィカルユーザーインターフェース）メニューを使った操作により、特定の操作部材に割り当てられた機能を変更できる電子機器もある。しかしながら、特定の操作部材に割り当てられた機能を変更するためには、ＭＥＮＵボタン、上下左右キー、ＯＫボタンなどを含む複数の操作部材を操作する必要がある。そして、ＧＵＩメニューを表示する表示部が非常に小さい場合には、表示部としてタッチ式ディスプレイを用いたり、ＧＵＩメニューに対するタッチ操作を行ったりすることは難しい。
【０００９】
そこで、本発明は、１つの操作部材の押下のみで、より多くの選択候補を操作性良く選択できる技術を提供することを目的とする。
【課題を解決するための手段】
【００１０】
本発明の電子機器は、特定の操作部材に対する第１の時間未満の操作に応じて選択の変
更が可能な選択候補群である割当候補群に第１の選択候補群が割り当てられた第１の状態において、前記特定の操作部材が操作開始され、前記第１の時間未満で操作終了すると、前記第１の選択候補群に含まれた複数の候補のいずれかに、選択された候補を変更し、前記特定の操作部材が操作開始され、前記特定の操作部材に対する操作が前記第１の時間以上継続すると、前記割当候補群に第２の選択候補群が割り当てられた第２の状態に状態を変更し、前記第２の状態において、前記特定の操作部材が操作開始され、前記第１の時間未満で操作終了すると、前記第２の選択候補群に含まれた複数の候補のいずれかに、選択された候補を変更するように制御する制御手段を有することを特徴とする。
【発明の効果】
【００１１】
本発明によれば、１つの操作部材の押下のみで、より多くの選択候補を操作性良く選択できる。
【図面の簡単な説明】
【００１２】
【図１】本実施形態に係るデジタルカメラの外観図である。
【図２】本実施形態に係るデジタルカメラのブロック図である。
【図３】本実施形態に係るデジタルカメラのフローチャートである。
【図４】本実施形態に係る設定候補群と設定候補の切り替わりの一例である。
【図５】本実施形態に係るデジタルカメラの画面例である。
【図６】本実施形態に係る他の電子機器の画面例である。
【図７】本実施形態に係る他の電子機器の画面例である。
【図８】本実施形態に係るデジタルカメラの画面例である。
【発明を実施するための形態】
【００１３】
以下、図面を参照して本発明の好適な実施形態を説明する。図１（Ａ），１（Ｂ）に、本発明を適用可能な装置の一例としてのデジタルカメラ１００の外観図を示す。図１（Ａ）はデジタルカメラ１００の前面斜視図であり、図１（Ｂ）はデジタルカメラ１００の背面斜視図である。
【００１４】
表示部２８は、デジタルカメラ１００の背面に設けられた表示部であり、画像や各種情報を表示する。ファインダー外表示部４３は、デジタルカメラ１００の上面に設けられた表示部であり、シャッター速度や絞りをはじめとするデジタルカメラ１００の様々な設定値を表示する。端子カバー４０は、デジタルカメラ１００を外部機器に接続する接続ケーブル等のコネクタ（不図示）を保護するカバーである。クイックリターンミラー１２は、システム制御部５０（後述）から指示されて、不図示のアクチュエータによりアップダウンされる。通信端子１０は、デジタルカメラ１００がレンズユニット１５０（後述；着脱可能）側と通信を行うための通信端子である。接眼ファインダー１６は、フォーカシングスクリーン１３（後述）を観察することで、レンズユニット１５０を通して得た被写体の光学像の焦点や構図の確認を行うための覗き込み型のファインダーである。蓋２０２は、記録媒体２００（後述）を格納するスロットの蓋である。グリップ部９０は、ユーザーがデジタルカメラ１００を構えた際に右手で握りやすい形状とした保持部である。
【００１５】
また、デジタルカメラ１００は、モード切替スイッチ６０、シャッターボタン６１、メイン電子ダイヤル７１、電源スイッチ７２、サブ電子ダイヤル７３、４方向キー７４、ＳＥＴボタン７５、及び、ＬＶボタン７６を有する。デジタルカメラ１００は、拡大ボタン７７、縮小ボタン７８、再生ボタン７９、タッチパネル７０ａ、及び、メニューボタン７０ｂも有する。デジタルカメラ１００は、他の操作部材を有していてもよい。各種操作部材については後述する。
【００１６】
図２は、デジタルカメラ１００の構成例を示すブロック図である。
【００１７】
レンズユニット１５０は、交換可能な撮影レンズを搭載するレンズユニットである。レンズ１０３は通常、複数枚のレンズから構成されるが、図２では簡略して一枚のレンズのみで示している。通信端子６は、レンズユニット１５０がデジタルカメラ１００側と通信を行うための通信端子であり、通信端子１０は、デジタルカメラ１００がレンズユニット１５０側と通信を行うための通信端子である。レンズユニット１５０は、これら通信端子６，１０を介してシステム制御部５０と通信する。そして、レンズユニット１５０は、内部のレンズシステム制御回路４によって絞り駆動回路２を介して絞り１の制御を行う。また、レンズユニット１５０は、レンズシステム制御回路４によってＡＦ駆動回路３を介してレンズ１０３の位置を変位させることで焦点を合わせる。
【００１８】
ＡＥ（自動露出）センサー１７は、レンズユニット１５０を通した被写体（被写体光）の輝度を測光する。
【００１９】
焦点検出部１１は、システム制御部５０にデフォーカス量情報を出力する。システム制御部５０は、デフォーカス量情報に基づいてレンズユニット１５０を制御し、位相差ＡＦを行う。
【００２０】
クイックリターンミラー１２（以下、ミラー１２）は、露光、ライブビュー撮影、動画撮影などの際にシステム制御部５０から指示されて、不図示のアクチュエータによりアップダウンされる。ミラー１２は、レンズ１０３から入射した光束をファインダー１６側と撮像部２２側とに切り替えるためのミラーである。ミラー１２は、通常時は、ファインダー１６へと光束を導く（反射させる）ように配されるが（ミラーダウン）、撮影やライブビュー表示が行われる場合には、撮像部２２へと光束を導くように上方に跳ね上がり光束中から待避する（ミラーアップ）。また、ミラー１２は、その中央部が光の一部を透過できるようにハーフミラーとなっており、光束の一部を、焦点検出を行うための焦点検出部１１に入射するように透過させる。
【００２１】
撮影者は、ペンタプリズム１４とファインダー１６を介して、フォーカシングスクリーン１３を観察することで、レンズユニット１５０を通して得た被写体の光学像の焦点や構図の確認が可能となる。
【００２２】
シャッター１０１は、システム制御部５０の制御で撮像部２２の露光時間を自由に制御できるフォーカルプレーンシャッターである。
【００２３】
撮像部２２は、光学像を電気信号に変換するＣＣＤやＣＭＯＳ素子等で構成される撮像素子である。Ａ／Ｄ変換器２３は、撮像部２２から出力されるアナログ信号をデジタル信号に変換する。
【００２４】
画像処理部２４は、Ａ／Ｄ変換器２３からのデータ、又は、メモリ制御部１５からのデータに対し所定の処理（画素補間、縮小といったリサイズ処理、色変換処理、等）を行う。また、画像処理部２４では、撮像した画像データを用いて所定の演算処理が行われ、得られた演算結果に基づいてシステム制御部５０が露光制御や測距制御を行う。これにより、ＴＴＬ（スルー・ザ・レンズ）方式のＡＦ（オートフォーカス）処理、ＡＥ処理、ＥＦ（フラッシュプリ発光）処理、等が行われる。画像処理部２４では更に、撮像した画像データを用いて所定の演算処理が行われ、得られた演算結果に基づいてＴＴＬ方式のＡＷＢ（オートホワイトバランス）処理も行われる。
【００２５】
Ａ／Ｄ変換器２３からの出力データは、画像処理部２４及びメモリ制御部１５を介して、或いは、メモリ制御部１５を介してメモリ３２に直接書き込まれる。メモリ３２は、撮
像部２２によって得られＡ／Ｄ変換器２３によりデジタルデータに変換された画像データや、表示部２８に表示するための画像データを格納する。メモリ３２は、所定枚数の静止画像や所定時間の動画像および音声を格納するのに十分な記憶容量を備えている。
【００２６】
また、メモリ３２は画像表示用のメモリ（ビデオメモリ）を兼ねている。Ｄ／Ａ変換器１９は、メモリ３２に格納されている画像表示用のデータをアナログ信号に変換して表示部２８に供給する。こうして、メモリ３２に書き込まれた表示用の画像データはＤ／Ａ変換器１９を介して表示部２８により表示される。表示部２８は、ＬＣＤ等の表示器上で、Ｄ／Ａ変換器１９からのアナログ信号に応じた表示を行う。Ａ／Ｄ変換器２３によってＡ／Ｄ変換されメモリ３２に蓄積されたデジタル信号をＤ／Ａ変換器１９においてＤ／Ａ変換し、表示部２８に逐次転送して表示することで、電子ビューファインダーの機能が実現でき、スルー画像表示（ライブビュー表示）が行える。以下、ライブビュー表示で表示される画像を「ＬＶ画像」と称する。
【００２７】
ファインダー内表示部４１には、ファインダー内表示部駆動回路４２を介して、現在オートフォーカスが行われている測距点を示す枠（ＡＦ枠）や、カメラの設定状態を表すアイコンなどが表示される。
【００２８】
ファインダー外表示部４３には、ファインダー外表示部駆動回路４４を介して、シャッター速度や絞りをはじめとするデジタルカメラ１００の様々な設定値が表示される。
【００２９】
不揮発性メモリ５６は、電気的に消去・記録可能なメモリであり、例えばＥＥＰＲＯＭ等が用いられる。不揮発性メモリ５６には、システム制御部５０の動作用の定数、プログラム等が記憶される。ここでいう、プログラムとは、本実施形態にて後述する各種フローチャートを実行するためのプログラムのことである。
【００３０】
システム制御部５０は、少なくとも１つのプロセッサーまたは回路からなる制御部であり、デジタルカメラ１００全体を制御する。システム制御部５０は、前述した不揮発性メモリ５６に記録されたプログラムを実行することで、後述する本実施形態の各処理を実現する。システムメモリ５２は例えばＲＡＭであり、システム制御部５０は、システム制御部５０の動作用の定数、変数、不揮発性メモリ５６から読み出したプログラム等をシステムメモリ５２に展開する。また、システム制御部５０は、メモリ３２、Ｄ／Ａ変換器１９、表示部２８等を制御することにより表示制御も行う。
【００３１】
システムタイマー５３は、各種制御に用いる時間や、内蔵された時計の時間を計測する計時部である。
【００３２】
電源制御部８０は、電池検出回路、ＤＣ−ＤＣコンバータ、通電するブロックを切り替えるスイッチ回路等により構成され、電池の装着の有無、電池の種類、及び、電池残量の検出等を行う。また、電源制御部８０は、その検出結果及びシステム制御部５０の指示に基づいてＤＣ−ＤＣコンバータを制御し、必要な電圧を必要な期間、記録媒体２００を含む各部へ供給する。電源部３０は、アルカリ電池やリチウム電池等の一次電池やＮｉＣｄ電池やＮｉＭＨ電池、Ｌｉ電池等の二次電池、ＡＣアダプター等からなる。
【００３３】
記録媒体Ｉ／Ｆ１８は、メモリカードやハードディスク等の記録媒体２００とのインターフェースである。記録媒体２００は、撮影された画像を記録するためのメモリカード等の記録媒体であり、半導体メモリや磁気ディスク等から構成される。
【００３４】
通信部５４は、無線または有線ケーブルによって接続された外部機器に対して、映像信号や音声信号の送受信を行う。通信部５４は無線ＬＡＮ（Ｌｏｃａｌ  Ａｒｅａ  Ｎｅｔ
ｗｏｒｋ）やインターネットとも接続可能である。また、通信部５４は、Ｂｌｕｅｔｏｏｔｈ（登録商標）やＢｌｕｅｔｏｏｔｈ  Ｌｏｗ  Ｅｎｅｒｇｙでも外部機器と通信可能である。通信部５４は撮像部２２で撮像した画像（ＬＶ画像を含む）や、記録媒体２００に記録された画像を送信可能であり、外部機器から画像データやその他の各種情報を受信することができる。
【００３５】
姿勢検知部５５は、重力方向に対するデジタルカメラ１００の姿勢を検知する。姿勢検知部５５で検知された姿勢に基づいて、撮像部２２で撮影された画像が、デジタルカメラ１００を横に構えて撮影された画像であるか、縦に構えて撮影された画像であるかを判別可能である。システム制御部５０は、姿勢検知部５５で検知された姿勢に応じた向き情報を撮像部２２で撮像された画像（撮像画像）の画像ファイルに付加したり、画像を回転して記録したりすることが可能である。姿勢検知部５５としては、加速度センサーやジャイロセンサーなどを用いることができる。姿勢検知部５５である加速度センサーやジャイロセンサーを用いて、デジタルカメラ１００の動き（パン、チルト、持ち上げ、静止しているか否か等）を検知することも可能である。
【００３６】
操作部７０は、システム制御部５０に各種の動作指示を入力するための操作手段である。操作部７０は、ユーザーからの操作（ユーザー操作）を受け付ける入力部としての各種操作部材を含む。例えば、操作部７０は、押しボタン、回転ダイヤル、タッチセンサなどを含む。具体的には、操作部７０は、モード切替スイッチ６０、シャッターボタン６１、メイン電子ダイヤル７１、電源スイッチ７２、サブ電子ダイヤル７３、及び、４方向キー７４を含む。また、操作部７０は、ＳＥＴボタン７５、ＬＶボタン７６、拡大ボタン７７、縮小ボタン７８、再生ボタン７９、タッチパネル７０ａ、及び、メニューボタン７０ｂを含む。操作部７０の各操作部材は、表示部２８に表示される種々の機能アイコンを選択操作することなどにより、場面ごとに適宜機能が割り当てられ、各種機能ボタンとして作用する。機能ボタンとしては、例えば、終了ボタン、戻るボタン、画像送りボタン、ジャンプボタン、絞込みボタン、属性変更ボタン、等がある。
【００３７】
モード切替スイッチ６０は、各種モードを切り替えるための操作部材である。モード切替スイッチ６０は、システム制御部５０の動作モードを静止画記録モード、動画撮影モード、再生モード等のいずれかに切り替える。静止画記録モードに含まれるモードとして、オート撮影モード、オートシーン判別モード、マニュアルモード、絞り優先モード（Ａｖモード）、シャッター速度優先モード（Ｔｖモード）、及び、プログラムＡＥモードがある。また、撮影シーン別の撮影設定となる各種シーンモード、カスタムモード等がある。モード切替スイッチ６０により、ユーザーは、これらのモードのいずれかに直接切り替えることができる。あるいは、モード切替スイッチ６０で撮影モードの一覧画面に一旦切り替えた後に、表示された複数のモードのいずれかに、他の操作部材を用いて選択的に切り替えるようにしてもよい。同様に、動画撮影モードにも複数のモードが含まれていてもよい。
【００３８】
シャッターボタン６１は、撮影指示を行うための操作部材である。シャッターボタン６１は、第１シャッタースイッチ６２と第２シャッタースイッチ６４を備える。第１シャッタースイッチ６２は、シャッターボタン６１の操作途中、いわゆる半押し（撮影準備指示）でＯＮとなり、第１シャッタースイッチ信号ＳＷ１を発生する。システム制御部５０は、第１シャッタースイッチ信号ＳＷ１により、ＡＦ処理、ＡＥ処理、ＡＷＢ処理、ＥＦ処理、等の動作を開始する。第２シャッタースイッチ６４は、シャッターボタン６１の操作完了、いわゆる全押し（撮影指示）でＯＮとなり、第２シャッタースイッチ信号ＳＷ２を発生する。システム制御部５０は、第２シャッタースイッチ信号ＳＷ２により、撮像部２２からの信号読み出しから記録媒体２００に画像データを書き込むまでの一連の撮影処理の動作を開始する。
【００３９】
メイン電子ダイヤル７１は回転操作部材であり、メイン電子ダイヤル７１を回すことで、シャッター速度や絞りなどの設定値の変更等が行える。電源スイッチ７２は、デジタルカメラ１００の電源のＯＮ／ＯＦＦを切り替える操作部材である。サブ電子ダイヤル７３は回転操作部材であり、サブ電子ダイヤル７３を回すことで、選択枠の移動や画像送りなどが行える。４方向キー７４は、上、下、左、右の各部を押し込み可能に構成される。４方向キー７４の押した部分に応じた処理が可能である。ＳＥＴボタン７５は、押しボタンであり、主に選択項目の決定などに用いられる。
【００４０】
ＬＶボタン７６は、静止画撮影モードにおいてライブビュー（以下、ＬＶ）のＯＮ／ＯＦＦを切り替えるボタンである。動画撮影モードにおいては、ＬＶボタン７６は、動画撮影（記録）の開始、停止の指示に用いられる。拡大ボタン７７は、撮影モードのライブビュー表示において拡大モードのＯＮ／ＯＦＦの切り替え及び拡大モード中の拡大率の変更を行うための操作ボタンである。再生モードにおいては、拡大ボタン７７は、再生画像を拡大したり、その拡大率を増加させたりするための拡大ボタンとして機能する。縮小ボタン７８は、拡大された再生画像の拡大率を低減させ、表示された画像を縮小させるためのボタンである。再生ボタン７９は、撮影モードと再生モードとを切り替える操作ボタンである。撮影モード中に再生ボタン７９を押下することで再生モードに移行し、記録媒体２００に記録された画像のうち最新の画像を表示部２８に表示させることができる。
【００４１】
タッチパネル７０ａは、タッチパネル７０ａに対する接触を検知する。タッチパネル７０ａと表示部２８とは一体的に構成することができる。例えば、タッチパネル７０ａを、光の透過率が表示部２８の表示を妨げないように構成し、表示部２８の表示面の上層に取り付ける。そして、タッチパネル７０ａにおける入力座標と、表示部２８上の表示座標とを対応付ける。これにより、恰もユーザーが表示部２８上に表示された画面を直接的に操作可能であるかのようなＧＵＩ（グラフィカルユーザーインターフェース）を提供できる。システム制御部５０は、タッチパネル７０ａへの以下の操作、あるいは状態を検出できる。
・タッチパネル７０ａにタッチしていなかった指やペンが新たにタッチパネル７０ａにタッチしたこと、すなわち、タッチの開始（以下、タッチダウン（Ｔｏｕｃｈ−Ｄｏｗｎ）と称する）
・指やペンがタッチパネル７０ａをタッチしている状態であること（以下、タッチオン（Ｔｏｕｃｈ−Ｏｎ）と称する）
・指やペンがタッチパネル７０ａをタッチしたまま移動していること（以下、タッチムーブ（Ｔｏｕｃｈ−Ｍｏｖｅ）と称する）
・タッチパネル７０ａへタッチしていた指やペンがタッチパネル７０ａから離れたこと、すなわち、タッチの終了（以下、タッチアップ（Ｔｏｕｃｈ−Ｕｐ）と称する）
・タッチパネル７０ａに何もタッチしていない状態（以下、タッチオフ（Ｔｏｕｃｈ−Ｏｆｆ）と称する）
【００４２】
タッチダウンが検出されると、同時にタッチオンも検出される。タッチダウンの後、タッチアップが検出されない限りは、通常はタッチオンが検出され続ける。タッチムーブが検出された場合も、同時にタッチオンが検出される。タッチオンが検出されていても、タッチ位置が移動していなければタッチムーブは検出されない。タッチしていた全ての指やペンがタッチアップしたことが検出されると、タッチオフが検出される。
【００４３】
これらの操作・状態や、タッチパネル７０ａ上に指やペンがタッチしている位置座標は内部バスを通じてシステム制御部５０に通知される。そして、システム制御部５０は通知された情報に基づいてタッチパネル７０ａ上にどのような操作（タッチ操作）が行なわれたかを判定する。タッチムーブについてはタッチパネル７０ａ上で移動する指やペンの移
動方向についても、位置座標の変化に基づいて、タッチパネル７０ａ上の垂直成分・水平成分毎に判定できる。所定距離以上をタッチムーブしたことが検出された場合はスライド操作が行なわれたと判定するものとする。タッチパネル７０ａ上に指をタッチしたままある程度の距離だけ素早く動かして、そのまま離すといった操作をフリックと呼ぶ。フリックは、言い換えればタッチパネル７０ａ上を指ではじくように素早くなぞる操作である。所定距離以上を、所定速度以上でタッチムーブしたことが検出され、そのままタッチアップが検出されるとフリックが行なわれたと判定できる（スライド操作に続いてフリックがあったものと判定できる）。更に、複数箇所（例えば２点）を同時にタッチして、互いのタッチ位置を近づけるタッチ操作をピンチイン、互いのタッチ位置を遠ざけるタッチ操作をピンチアウトと称する。ピンチアウトとピンチインを総称してピンチ操作（あるいは単にピンチ）と称する。タッチパネル７０ａは、抵抗膜方式や静電容量方式、表面弾性波方式、赤外線方式、電磁誘導方式、画像認識方式、光センサー方式等、様々な方式のタッチパネルのうちいずれの方式のものを用いてもよい。タッチパネルに対する接触があったことでタッチがあったと検出する方式や、タッチパネルに対する指やペンの接近があったことでタッチがあったと検出する方式があるが、いずれの方式でもよい。
【００４４】
メニューボタン７０ｂは押しボタン（押しボタンスイッチ）であり、メニューボタン７０ｂを押下することで、各種の設定が可能なメニュー画面が表示部２８に表示される。ユーザーは、表示部２８に表示されたメニュー画面と、４方向キー７４やＳＥＴボタン７５とを用いて直感的に各種設定を行うことができる。
【００４５】
図３は、デジタルカメラ１００で行われる操作処理のフローチャートである。このフローチャートにおける各処理は、システム制御部５０が不揮発性メモリ５６に記録されたプログラムをシステムメモリ５２に展開して実行することにより実現される。図３のフローチャートは、例えば、デジタルカメラ１００に電源が投入されたことに応じて開始される。ここでは、設定候補（設定値；設定パラメータ）の選択などのショートカット機能が押しボタン７０ｂに割り当たっているとする。以後、押しボタン７０ｂの短押しに応じて選択の変更が可能な設定候補群（選択候補群）を、「割当候補群」と記載する。
【００４６】
Ｓ３０１では、システム制御部５０は、ユーザーにより電源スイッチ７２が操作されて電源オフが指示されたか否かを判定する。電源オフが指示されたと判定された場合は操作処理を終了し、そうでない場合はＳ３０２に進む。
【００４７】
Ｓ３０２では、システム制御部５０は、デジタルカメラ１００に対する操作が行われない状態（無操作状態）の継続時間である無操作時間Ｔ１を０秒にリセットし、カウントをスタートする。無操作時間Ｔ１はシステムタイマー５３により計測される。
【００４８】
Ｓ３０３では、システム制御部５０は、無操作時間Ｔ１が３秒未満か否かを判定する。無操作時間Ｔ１が３秒未満であると判定された場合はＳ３０５に進み、そうでない場合はＳ３０４に進む。
【００４９】
Ｓ３０４では、システム制御部５０は、デジタルカメラ１００の動作モードを、特定の動作モード（本実施形態では、選択された設定候補を変更するための設定モード）から他の動作モードに遷移させる（設定モードの解除）。つまり、設定モードにおいて、無操作状態が３秒継続（閾値時間継続）すると、設定モードを解除した他の動作モードに遷移する。なお、もともと設定モードが解除された動作モードであった場合にはＳ３０４の処理はスキップする。
【００５０】
詳細は後述するが、設定モードでは、システム制御部５０の制御により、表示部２８は、割当候補群に割り当てられる設定候補群を示す表示を行う。本実施形態では、１つの設
定候補群が１つの設定項目に対応する。そして、設定モードにおいて、システム制御部５０は、割当候補群に割り当てられる設定候補群に対応する設定項目を表示部２８に表示する。そして、システム制御部５０は、デジタルカメラ１００の動作モードを設定モードから設定モードを解除した動作モードに遷移させる際に、上記設定項目を非表示にする。
【００５１】
なお、Ｓ３０３で使用される閾値時間は３秒に限られない。但し、Ｓ３０３の閾値時間が短すぎると、ユーザが設定モードを維持したいにもかかわらず他の動作モードに遷移する可能性が増す。そのため、Ｓ３０３の閾値時間は或る程度長いことが好ましい。例えば、Ｓ３０３の閾値時間は２秒より長いことが好ましい。
【００５２】
Ｓ３０５では、システム制御部５０は、押しボタン７０ｂが押下されたか否かを判定する。押しボタン７０ｂが押下された（押しボタン７０ｂの操作開始）と判定された場合はＳ３０６に進み、そうでない場合はＳ３０３に進む。ここで、デジタルカメラ１００の複数の操作部材のうち、押しボタン７０ｂ以外の操作部材に対する操作が行われることがある。その場合には、システム制御部５０は、操作が行われた操作部材に対応する制御を行う（Ｓ３０３，Ｓ３０６には進まない）。そして、Ｓ３０１に進む。押しボタン７０ｂ以外の操作部材に対する操作が行われなかった場合は、Ｓ３０３に進む。なお、無操作時間Ｔ１は、押しボタン７０ｂに対する操作が行われない状態の継続時間であってもよい。その場合は、押しボタン７０ｂ以外の操作部材に対する操作が行われると、Ｓ３０１ではなく、Ｓ３０３に進む。
【００５３】
Ｓ３０６では、システム制御部５０は、押しボタン７０ｂが押下されている状態（押下状態）の継続時間である押下時間Ｔ２を０秒にリセットして、カウントをスタートする。押下時間Ｔ２はシステムタイマー５３により計測される。
【００５４】
Ｓ３０７では、システム制御部５０は、デジタルカメラ１００の動作モードが設定モードであるか否かを判定する。設定モードであると判定された場合はＳ３１２に進み、そうでない場合はＳ３０８に進む。
【００５５】
Ｓ３０８では、システム制御部５０は、押しボタン７０ｂの押下が解除されたか否かを判定する。押しボタン７０ｂの押下が解除された（押しボタン７０ｂの操作終了）と判定された場合はＳ３０９に進み、そうでない場合は待機する。
【００５６】
Ｓ３０９では、システム制御部５０は、押下時間Ｔ２が１秒以上か否か、つまり押しボタン７０ｂの押下が長押しか否かを判定する。押下時間Ｔ２が１秒以上である（押しボタン７０ｂの長押し）と判定された場合はＳ３１０に進み、そうでない場合はＳ３０１に進む。つまり、設定モードとは異なる動作モードにおいて、押しボタン７０ｂの短押し（１秒未満の押下）が行われても、システム制御部５０は、選択された設定候補を変更するように制御しない。これによって、押しボタン７０ｂに対する誤った操作による誤動作、誤設定を防止することができる。なお、Ｓ３０９で使用される閾値時間は１秒に限られない。Ｓ３０９の閾値時間は、Ｓ３０３の閾値時間よりも短ければよい。長押しと短押しを区別するために、Ｓ３０９の閾値時間は０．５秒以上２秒以下であることが好ましい。
【００５７】
Ｓ３１０では、システム制御部５０は、デジタルカメラ１００の動作モードを設定モードに遷移させる。つまり、設定モードが解除された動作モードにおいて、押下状態が１秒以上継続（閾値時間以上継続）すると、設定モードに遷移する。そして、システム制御部５０は、前回の設定モードの際に割り当てられていた設定候補群を、不揮発性メモリ５６に記録された情報から判断し、割当候補群に割り当て、対応する設定項目を表示部２８に表示する。
【００５８】
なお、Ｓ３１０で割当候補群に割り当てられる設定候補群は、前回の設定候補群（前回の設定モードの際に割り当てられていた設定候補群）に限られない。システム制御部５０は、設定モードに遷移した場合に、前回の設定候補群にかかわらず、予め定められた所定の設定候補群を割当候補群に割り当ててもよい。このようにすると、設定モードが解除された動作モードから、前回の割当候補群にかかわらず、常に所定の設定候補群をすぐに（１番目に）割当候補群とし、所定の設定候補群の選択候補を素早く選択することができる。従って、利用する頻度が高い設定候補群や、即時性を求められる設定候補群などを所定の設定候補群しておくとよい。また、システム制御部５０は、押下時間Ｔ２がＳ３０９の閾値時間よりも長い閾値時間以上となった場合（例えば３秒に達した場合）に、特定の設定候補群を割当候補群に割り当ててもよい。このようにすることで、割当候補群が他の設定候補群であった場合にも、押しボタン７０ｂを３秒長押しするという簡単な操作で、すぐに良く使う所定の設定候補群にリセットすることができる。詳細は後述するが、本実施形態では、設定モードにおいて、システム制御部５０は、押しボタン７０ｂの長押しが行われると、候補群順序（所定の切り替え順）に従って、割当候補群に割り当てる設定候補群を切り替える。所定の設定候補群は、例えば、候補群順序における１番目の設定候補群である。Ｓ３０９の閾値時間よりも長い上記閾値時間は、特に限定されないが、割当候補群に割り当てる設定候補群を所定の設定候補群と前回の設定候補群との間で切り替えやすくするために、或る程度長いことが好ましい。Ｓ３０９の閾値時間よりも長い上記閾値時間は、例えば２秒より長いことが好ましく、具体的には３秒である。
【００５９】
Ｓ３１１では、システム制御部５０は、Ｓ３１０で表示した設定項目（前回の設定候補群；割当候補群）に含まれた複数の設定候補のいずれかを選択し、選択した設定候補を識別可能に表示部２８に表示する。例えば、押しボタン７０ｂの押下前から設定されている設定候補が選択される。このようにすれば、設定モードが解除された動作モードにおける押しボタン７０ｂの最初の長押しでは設定は変更されず、確認のみができるため、誤った設定変更を防止することができる。なお、設定されていない設定項目が選択されてもよい。その場合に、選択された設定候補は、自動で直ちに設定されてもよいし、設定のための操作に応じて設定されてもよい。
【００６０】
一方、設定モードであった場合、Ｓ３１２では、押しボタン７０ｂの押下が解除されたか否かを判定する。押しボタン７０ｂの押下が解除された（押しボタン７０ｂの操作終了）と判定された場合はＳ３１３に進み、そうでない場合は待機する。
【００６１】
Ｓ３１３では、システム制御部５０は、押下時間Ｔ２が１秒以上か否か、つまり押しボタン７０ｂの押下が長押しか否かを判定する。押下時間Ｔ２が１秒以上である（押しボタン７０ｂの長押し）と判定された場合はＳ３１４に進み、そうでない場合はＳ３１７に進む。なお、Ｓ３１３で使用される閾値時間は１秒に限られない。Ｓ３０９の閾値時間と同様に、Ｓ３１３の閾値時間は、Ｓ３０３の閾値時間よりも短ければよい。長押しと短押しを区別するために、Ｓ３１３の閾値時間は０．５秒以上２秒以下であることが好ましい。Ｓ３１３の閾値時間は、Ｓ３０９の閾値時間と等しくてもよいし、異なっていてもよい。
【００６２】
Ｓ３１４では、システム制御部５０は、割当候補群に割り当てる設定候補群を候補群順序に従って切り替える。つまり、割当候補群に或る設定候補群が割り当てられた状態において、押下状態が１秒以上継続（閾値時間以上継続）すると、候補群順序において次の設定候補群が割当候補群に割り当てられた状態に、デジタルカメラ１００の状態が変更される。そして、システム制御部５０は、表示部２８に表示された設定項目を、切り替え後の設定候補群に対応する設定項目に切り替える。
【００６３】
なお、Ｓ３１４では、システム制御部５０は、押下時間Ｔ２がＳ３１３の閾値時間（第１の閾値時間）よりも長い第２の閾値時間に達した場合に、現在の割当候補群の候補群順
序にかかわらず、前述の所定の設定候補群を割当候補群に割り当ててもよい。第２の閾値時間は、特に限定されないが、割当候補群に割り当てる設定候補群を所定の設定候補群と候補群順序に応じた設定候補群との間で切り替えやすくするために、或る程度長いことが好ましい。第２の閾値時間は、例えば２秒より長いことが好ましく、具体的には３秒である。その場合には、システム制御部５０は、押下時間Ｔ２が第１の閾値時間以上かつ第２の閾値時間未満である場合に、候補群順序に応じた設定候補群を割当候補群に割り当てる。
【００６４】
Ｓ３１５では、システム制御部５０は、割当候補群（Ｓ３１４の切り替え後の設定候補群）に関する情報を不揮発性メモリ５６に記録する。
【００６５】
Ｓ３１６では、システム制御部５０は、割当候補群（Ｓ３１４の切り替え後の設定候補群）に含まれた複数の設定候補のいずれかを選択し、選択した設定候補が識別可能な表示に、表示部２８における設定候補の表示を更新する（切り替える）。例えば、設定されている設定候補が選択される。なお、設定されていない設定項目が選択されてもよい。その場合に、選択された設定候補は、自動で直ちに設定されてもよいし、設定のための操作に応じて設定されてもよい。
【００６６】
Ｓ３１７では、システム制御部５０は、割当候補群に含まれた複数の設定候補のいずれかに、選択された設定候補を変更する。つまり、設定モードにおいて、押しボタン７０ｂの短押し（１秒未満の押下）が行われると、システム制御部５０は、選択された設定候補を、割当候補群に含まれる複数の設定候補のいずれかに変更する。本実施形態では、システム制御部５０は、候補順序（所定の切り替え順）に従って、選択された設定候補を切り替える。
【００６７】
Ｓ３１８では、システム制御部５０は、表示部２８における設定候補の表示を、Ｓ３１７の変更（切り替え）が反映された表示に更新する。
【００６８】
図４，５を用いて、操作処理の具体例を説明する。図４は、設定候補群の切り替わりと、設定候補の切り替わりとの具体例を示す。図４の例では、４つの設定候補群Ａ，Ｂ，Ｃ，Ｄが存在する。設定候補群Ａは、４つの設定候補［Ａ−１］，［Ａ−２］，［Ａ−３］，［Ａ−４］を含み、設定候補群Ｂは、４つの設定候補［Ｂ−１］，［Ｂ−２］，［Ｂ−３］，［Ｂ−４］を含む。設定候補群Ｃは、３つの設定候補［Ｃ−１］，［Ｃ−２］，［Ｃ−３］を含み、設定候補群Ｄは、５つの設定候補［Ｄ−１］，［Ｄ−２］，［Ｄ−３］，［Ｄ−４］，［Ｄ−５］を含む。設定候補群Ａが設定項目「ＩＳＯ感度」に関するものである場合には、例えば、設定候補［Ａ−１］，［Ａ−２］，［Ａ−３］，［Ａ−４］はそれぞれ、設定値「ＡＵＴＯ」，「１００」，「４００」，「８００」となる。設定候補群Ｂが設定項目「シャッター速度」に関するものである場合には、例えば、設定候補［Ｂ−１］，［Ｂ−２］，［Ｂ−３］，［Ｂ−４］はそれぞれ、設定値「ＡＵＴＯ」，「１/
１５秒」，「１/３０秒」，「１/６０秒」となる。設定候補群Ｃが設定項目「セルフタイマー」に関するものである場合には、例えば、設定候補［Ｃ−１］，［Ｃ−２］，［Ｃ−３］はそれぞれ、「オフ」，「２秒」，「１０秒」となる。設定候補群Ｄが設定項目「画質」に関するものである場合には、例えば、設定候補［Ｄ−１］，［Ｄ−２］，［Ｄ−３］，［Ｄ−４］，［Ｄ−５］はそれぞれ、設定値「Ｌ（４０００×３０００ピクセル）」，「Ｍ１（３０００×２０００ピクセル）」，「Ｍ２（１９２０×１０８０ピクセル）」，「Ｓ１（１２８０×７２０ビクセル）」、「Ｌ２（６４０×４８０ピクセル）」となる。
【００６９】
設定モードでは、割当候補群に設定候補群Ａが割り当てられた状態において押しボタン７０ｂの長押しが行われると、割当候補群が設定候補群Ａから設定候補群Ｂへ切り替えら
れる。割当候補群に設定候補群Ｂが割り当てられた状態において押しボタン７０ｂの長押しが行われると、割当候補群が設定候補群Ｂから設定候補群Ｃへ切り替えられる。割当候補群に設定候補群Ｃが割り当てられた状態において押しボタン７０ｂの長押しが行われると、割当候補群が設定候補群Ｃから設定候補群Ｄへ切り替えられる。そして、割当候補群に設定候補群Ｄが割り当てられた状態において押しボタン７０ｂの長押しが行われると、割当候補群が設定候補群Ｄから設定候補群Ａへ切り替えられる。このように、割当候補群は、設定候補群Ａ，Ｂ，Ｃ，Ｄを循環するように、押しボタン７０ｂの長押しのたびに切り替わる。この例では、切り替え順の１番目の設定候補群は設定候補群Ａである。
【００７０】
また、設定モードで割当候補群に設定候補群Ａが割り当てられている場合には、設定候補［Ａ−１］が選択された状態において押しボタン７０ｂの短押しが行われると、選択された設定候補が設定候補［Ａ−１］から設定候補［Ａ−２］へ切り替えられる。設定候補［Ａ−２］が選択された状態において押しボタン７０ｂの短押しが行われると、選択された設定候補が設定候補［Ａ−２］から設定候補［Ａ−３］へ切り替えられる。設定候補［Ａ−３］が選択された状態において押しボタン７０ｂの短押しが行われると、選択された設定候補が設定候補［Ａ−３］から設定候補［Ａ−４］へ切り替えられる。そして、設定候補［Ａ−４］が選択された状態において押しボタン７０ｂの短押しが行われると、選択された設定候補が設定候補［Ａ−４］から設定候補［Ａ−１］へ切り替えられる。このように、割当候補群に設定候補群Ａが割り当てられた状態では、選択された設定候補は、設定候補［Ａ−１］，［Ａ−２］，［Ａ−３］，［Ａ−４］を循環するように、押しボタン７０ｂの短押しのたびに切り替わる。割当候補群に設定候補群Ｂ，Ｃ，Ｄが割り当てられている場合も、選択された設定候補は、割当候補群に含まれた複数の設定候補を循環するように、押しボタン７０ｂの短押しのたびに切り替わる。
【００７１】
図５は、表示部２８の表示の具体例を示す。図５の画面５０１は、撮影モードにおいて表示部２８が表示する画面であり、ＬＶ画像（スルー画像）を含む。画面５０１が表示された状態で押しボタン７０ｂの長押しが行われると、デジタルカメラ１００の動作モードが設定モードに遷移し、表示部２８に表示された画面が画面５０２に切り替わる（図３のＳ３１０とＳ３１１）。画面５０２は、割当候補群が設定候補群Ａであり且つ設定候補［Ａ−２］が設定および選択されている場合の画面である。画面５０２では、割当候補群Ａが示されており、設定候補［Ａ−２］が強調されている。割当候補群や選択された設定候補は、ＬＶ画像に重ねて表示される。
【００７２】
画面５０２が表示された状態で押しボタン７０ｂの長押しが３回行われると、割当候補群が設定候補群Ｄに変更され、表示部２８に表示された画面が画面５０３に切り替わる（図３のＳ３１４とＳ３１６）。画面５０３は、設定候補［Ｄ−４］が設定および選択されている場合の画面である。画面５０３では、割当候補群Ｄが示されており、設定候補［Ｄ−４］が強調されている。
【００７３】
画面５０３が表示された状態で押しボタン７０ｂの短押しが行われると、選択された設定候補が設定候補［Ｄ−１］に変更され、表示部２８に表示された画面が画面５０４に切り替わる（図３のＳ３１７とＳ３１８）。画面５０４では、割当候補群Ｄが示されており、設定候補［Ｄ−１］が強調されている。このとき、設定候補［Ｄ−１］が自動で設定されてもよいし、そうでなくてもよい。同様に、画面５０４が表示された状態で押しボタン７０ｂの短押しが行われると、選択された設定候補が設定候補［Ｄ−２］に変更され、表示部２８に表示された画面が画面５０５に切り替わる。画面５０５では、割当候補群Ｄが示されており、設定候補［Ｄ−２］が強調されている。
【００７４】
画面５０５が表示された状態で押しボタン７０ｂの長押しが行われると、割当候補群が設定候補群Ａに変更され、表示部２８に表示された画面が画面５０６に切り替わる（図３
のＳ３１４とＳ３１６）。ここでは、画面５０２が表示された状態で押しボタン７０ｂの短押しなどが行われていないため、設定候補［Ａ−２］が設定された状態が保たれている。そのため、画面５０６では、割当候補群Ａが示されており、設定候補［Ａ−２］が強調されている。
【００７５】
画面５０６が表示された状態で押しボタン７０ｂの短押しが行われると、選択された設定候補が設定候補［Ａ−３］に変更され、表示部２８に表示された画面が画面５０７に切り替わる（図３のＳ３１７とＳ３１８）。画面５０７では、割当候補群Ａが示されており、設定候補［Ａ−３］が強調されている。このとき、設定候補［Ａ−３］が自動で設定されてもよいし、そうでなくてもよい。同様に、画面５０７が表示された状態で押しボタン７０ｂの短押しが行われると、選択された設定候補が設定候補［Ａ−４］に変更され、表示部２８に表示された画面が画面５０８に切り替わる。画面５０８では、割当候補群Ａが示されており、設定候補［Ａ−４］が強調されている。
【００７６】
以上述べたように、本実施形態によれば、１つの操作部材の押下のみで、割当候補群を切り替えたり、選択された設定候補を切り替えたりできる。これにより、１つの操作部材の押下のみで、より多くの情報を選択できる。
【００７７】
なお、システム制御部５０が行うものとして説明した上述の各種制御は、１つのハードウェアが行ってもよいし、複数のハードウェア（例えば、複数のプロセッサーや回路）が処理を分担することで、装置全体の制御を行ってもよい。
【００７８】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００７９】
例えば、図６，７に示すように、デジタルカメラ１００に比べ操作部材が少なく且つ表示面が小さい電子機器６００，７００に本発明が適用されてもよい。電子機器６００，７００では、デジタルカメラ１００よりも簡易な表示が行われる。
【００８０】
図６に示すように、電子機器６００では、年月日を示す画面６１１（デフォルトモードにおける画面）、割当候補群と選択された設定項目のみを示す画面６１２〜６１６（設定モードにおける画面）、等が表示面６０１に表示される。画面６１１〜６１６はＬＶ画像を含んでいない。図６に示すように、電子機器６００では、デジタルカメラ１００と同様に、ボタン６０２の長押しや短押しに応じて、表示面６０１に表示された画面が、画面６１１〜６１６を含む複数の画面の間で切り替わる。図６の例は、設定候補群Ａを年月日設定、設定候補群ＢをＩＳＯ感度、設定候補群Ｃをインターバル撮影設定項目とした例である。
【００８１】
図７に示すように、電子機器７００では、年月日時を示す画面７１１、割当候補群と割当候補群に含まれた複数の設定項目とのみを示す画面７１２〜７１５、等が表示面７０１に表示される。画面７１１はデフォルトモードにおける画面であり、画面７１２〜７１５は設定モードにおける画面である。画面７１１〜７１５はＬＶ画像を含んでおらず、画面７１２〜７１５では、選択された設定項目が強調されている。図７に示すように、電子機器７００では、デジタルカメラ１００と同様に、ボタン７０２の長押しや短押しに応じて、表示面７０１に表示された画面が、画面７１１〜７１５を含む複数の画面の間で切り替わる。図７の例も、設定候補群Ａを年月日設定、設定候補群ＢをＩＳＯ感度、設定候補群Ｃをインターバル撮影設定項目とした例である。
【００８２】
表示部、表示部の表示を制御する機能、等を備えていない電子機器にも本発明は適用可能である。そして、操作内容の通知は、スピーカーからの音の出力、発光部（ＬＥＤなど）の点滅、電子機器の振動、等でも実現可能である。例えば、システム制御部５０は、選択された設定候補の変更を短音の出力で通知し、割当候補群に割り当てられた設定候補群が変更されると、変更後の設定候補群を、出力される長音の回数で通知してもよい。システム制御部５０は、選択された設定候補の変更を発光部の第１の色の点滅で通知し、割当候補群に割り当てられた設定候補群が変更されると、変更後の設定候補群を、発光部の第２の色の点滅の回数で通知してもよい。システム制御部５０は、選択された設定候補の変更を、デジタルカメラ１００の弱振動と短振動の少なくとも一方である第１の振動で通知してもよい。そして、システム制御部５０は、割当候補群に割り当てられた設定候補群が変更されると、変更後の設定候補群を、デジタルカメラ１００の強振動と長振動の少なくとも一方である第２の振動の回数で通知してもよい。
【００８３】
また、図８に示すように、割当候補群に割り当て可能な設定候補群と、候補群順序との少なくとも一方をユーザーが登録可能であってもよい。設定候補群や候補群順序の登録（カスタマイズ）は、デジタルカメラ１００に対する操作によって行われてもよいし、デジタルカメラ１００に接続された外部機器に対する操作によって行われてもよい。例えば、設定候補群や候補群順序の登録のためのアプリケーションが外部機器にインストールされ、当該アプリケーションを使って設定候補群や候補群順序が登録されてもよい。図８の画面８００は、設定候補群を入力可能な複数のテキストボックス８０１と、複数のテキストボックス８０１にそれぞれ対応する複数のチェックボックス８０２とを含む。チェックボックス８０２にチェックが入ったテキストボックス８０１の設定候補群が、割当候補群に割り当て可能な設定候補群として登録される。そして、割当候補群に割り当て可能な複数の設定候補群が登録される場合には、画面８００の上側からの記載順序が、候補群順序として登録される。ユーザーは、例えば、利用頻度が高い順番を候補群順序して登録する。これにより、候補群順序における１番目の設定候補群を候補群順序などにかかわらずに割当候補群に割り当てることができる構成において、利用頻度が高い設定候補群を割当候補群に割り当てやすくなり、利便性が向上する。画面８００の状態では、１番目の設定候補群として設定候補群Ｂが登録され、２番目の設定候補群として設定候補群Ｇが登録される。
【００８４】
また、デジタルカメラ１００の電源を投入して最初に設定候補群を割当候補群に割り当てる場合には、所定の設定候補群（候補群順序における１番目の設定候補群など）を割当候補群に割り当ててもよい。これにより、ユーザーは、デジタルカメラ１００の電源を投入された後、所定の設定候補群が割当候補群に割り当てられた状態から、割当候補群の変更、選択された設定候補の変更、等のための操作を開始できる。
【００８５】
また、特定の操作部材は押しボタン７０ｂに限られない。特定の操作部材は、物理的なボタンであってもよいし、表示部２８に表示されたＧＵＩボタンであってもよい。特定の操作部材がＧＵＩボタンである場合には、押下時間Ｔ２として、ＧＵＩボタン（ＧＵＩボタンの表示位置に対応するタッチパネル７０ａ上の位置）に対するタッチダウンからタッチアップまでの時間（タッチ時間）を使用すればよい。
【００８６】
また、割当候補群に含まれた設定候補の数が多すぎると、選択された設定候補が複数の設定候補を一巡するのに要する時間が長くなり、所望の設定候補を選択するまでの時間が長くなることがある。同様に、割当候補群に割り当てることが可能な設定候補群の数が多すぎると、割当候補群が複数の設定候補群を一巡するのに要する時間が長くなり、所望の設定候補群を割当候補群に割り当てるまでの時間が長くなることがある。そして、割当候補群の１回の変更に要する時間（図３の例では３秒程度）は、選択された設定候補の１回の変更に要する時間（図３の例では１秒程度）よりも長い。そのため、割当候補群に割り
当てることが可能な設定候補群の数は、１つの設定候補群に含ませることが可能な設定候補の最大数より少ないことが好ましい。具体的には、割当候補群として割り当てることが可能な設定候補群のそれぞれに含まれる設定候補の数は、いずれの選択候補群においても１０個以下であることが好ましい。そして、割当候補群として割り当てることが可能な選択候補群の数は、５個以下であることが好ましい。
【００８７】
また、複数の設定候補群は複数の設定項目にそれぞれ関連してもよいし、そうでなくてもよい。例えば、１つの設定項目に関する複数の設定候補が、２つ以上の設定候補群に分けられていてもよい。選択候補群は設定候補群でなくてもよい。つまり、選択候補群に含まれる候補は、設定される設定候補でなくてもよい。例えば、本発明は、電話帳アプリケーションにも適用可能である。その場合には、各連絡先を候補として使用してもよい。そして、同じアルファベットから名前が始まる複数の人物の連絡先を、１つの選択候補群として使用してもよい。例えば、「Ａ」から名前が始まる複数の人物の連絡先を第１の選択候補群として使用し、「Ｂ」から名前が始まる複数の人物の連絡先を第２の選択候補群として使用してもよい。これにより、名前の先頭文字の選択、連絡先（人物）の選択、等が容易となる。また、本発明を文字入力に適用することも可能である。例えば、設定候補群ＡをＡ〜Ｚのアルファベット、設定候補群Ｂを０〜９の数字、設定候補群Ｃを「、」「。」「‘」などの記号文字として適用することが可能である。アルファベットＡ〜Ｚを同じ候補群に含めると数が多すぎるため、所定数（例えば５個）ずつ区切り、設定候補群ＡはＡ〜Ｅ，設定候補群ＢはＦ〜Ｊといったようにしてもよい。または、設定候補群Ａは子音、設定候補群Ｂは母音というように分けてもよい。
【００８８】
また、上述した実施形態においては、本発明をデジタルカメラ（撮像装置）に適用した場合を例にして説明したが、これはこの例に限定されずユーザー操作を受け付け可能な電子機器であれば適用可能である。例えば、本発明は、パーソナルコンピュータやＰＤＡ、携帯電話端末や携帯型の画像ビューワ、プリンタ装置、デジタルフォトフレーム、音楽プレーヤー、ゲーム機、電子ブックリーダー、映像プレーヤー、表示装置（投影装置を含む）、タブレット端末、スマートフォン、ＡＩスピーカー、家電装置や車載装置などに適用可能である。
【００８９】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００９０】
１００：デジタルカメラ  ６００，７００：電子機器
７０ｂ：押しボタン  ６０２，７０２：ボタン
【図１】
2019164423.tif 000003
【図２】
2019164423.tif 000004
【図３】
2019164423.tif 000005
【図４】
2019164423.tif 000006
【図５】
2019164423.tif 000007
【図６】
2019164423.tif 000008
【図７】
2019164423.tif 000009
【図８】
2019164423.tif 000010